(57)【要約】【課題】  操作パネル面周辺が暗くても、パネル操作時に操作ロックボタンを視覚的に認識可能にするライトアップ機能を有するセンサコントローラを提供する。【解決手段】  操作ロックボタン５がロックされて全部の操作ボタン４が消灯された状態のときに、少なくとも１つの操作ボタンが操作されると、全部の操作ボタン４または操作ロックボタン５のみをライトアップし、ロック解除する操作ロックボタン５の位置を明確にするので、操作パネル面周辺が暗くても、操作ロックボタン５の位置を視覚的に認識できるから、容易にロック解除でき、誤操作を防止できる。【選択図】        図１
2006134860.tif 000002
【特許請求の範囲】
【請求項１】
操作パネル上に複数の操作ボタンを有し、そのうちに他の操作ボタンをロックまたはロック解除する操作ロックボタンを含む操作部と、前記操作ロックボタンがロック状態のとき全部の操作ボタンを消灯させる制御を行う制御部とを備えたセンサコントローラであって、
前記制御部は、全部の操作ボタンが消灯された状態のときに、少なくとも１つの操作ボタンが操作されると、全部の操作ボタンまたは操作ロックボタンのみをライトアップし、ロック解除する操作ロックボタンの位置を明確にする制御を行うボタン点灯制御手段を備えた、ライトアップ機能を有するセンサコントローラ。
【請求項２】
請求項１において、
前記操作部は、複数の操作ボタンが複数に区画され、各区画ごとに該区画内の操作ボタンを点灯させるＬＥＤが設けられている、ライトアップ機能を有するセンサコントローラ。
【発明の詳細な説明】
【技術分野】
【０００１】
本発明は、操作パネル上に複数の操作ボタンが設けられて、ライトアップ機能を有するセンサコントローラに関する。
【背景技術】
【０００２】
従来から、生産ライン等に設置される操作コントローラとして、操作パネル上の押ボタンが押されると、当該押ボタン内のＬＥＤ（発光ダイオード）が発光して押ボタンを点灯させる照明付き押ボタン装置が知られている（例えば、特許文献１）。
【０００３】
一方、従来の光学センサ等における操作パネル上に複数の操作ボタンを有するセンサコントローラでは、センサの誤動作を防止するため、他の操作ボタンをロックまたはロック解除する操作ロックボタンが設けられている。センサコントローラで上記のような照明付き押ボタンを採用した場合、操作ロックボタンにより他の操作ボタンがロックされたとき、全部の操作ボタンを消灯状態にして、操作不能状態であることが認識される。操作ロックボタンによりロック解除されると、他の操作ボタンが操作可能状態となる。
【特許文献１】特開平５−１０１７３６号公報
【発明の開示】
【発明が解決しようとする課題】
【０００４】
しかし、生産ライン等に用いられるセンサコントローラは、生産ラインの全体制御装置の近傍などに設置されて、その設置場所の周辺が暗い場合が多く、操作ロックボタンによりロックされて消灯状態のとき、作業者はセンサコントローラの操作パネル面周辺が暗いため操作パネル面を視覚的に認識できず、パネル操作時に、別の照明器具で操作パネル面を照らす必要があって作業が煩雑であったり、操作ロックボタンの位置がわからないため容易にロック解除ができず誤操作するなど、操作上の問題があった。
【０００５】
本発明は、前記の問題点を解決して、操作パネル面周辺が暗くても、パネル操作時に容易に操作ロックボタンの位置を視覚的に認識可能にするライトアップ機能を有するセンサコントローラを提供することを目的とする。
【課題を解決するための手段】
【０００６】
前記目的を達成するために、本発明に係るライトアップ機能を有するセンサコントローラは、操作パネル上に複数の操作ボタンを有し、そのうちに他の操作ボタンをロックまたはロック解除する操作ロックボタンを含む操作部と、前記操作ロックボタンがロック状態のとき全部の操作ボタンを消灯させる制御を行う制御部とを備えたセンサコントローラであって、前記制御部は、全部の操作ボタンが消灯された状態のときに、少なくとも１つの操作ボタンが操作されると、全部の操作ボタンまたは操作ロックボタンのみをライトアップし、ロック解除する操作ロックボタンの位置を明確にする制御を行うボタン点灯制御手段を備えている。
【０００７】
この構成によれば、操作ロックボタンがロックされて全部の操作ボタンが消灯された状態のときに、少なくとも１つの操作ボタンが操作されると、全部の操作ボタンまたは操作ロックボタンをライトアップし、ロック解除する操作ロックボタンの位置を明確にするので、操作パネル面周辺が暗くても、操作ロックボタンの位置を視覚的に認識できるから、容易にロック解除でき、誤操作を防止できる。
【０００８】
好ましくは、複数の操作ボタンが複数に区画され、各区画ごとに該区画内の操作ボタンを点灯させるＬＥＤが設けられている。したがって、ＬＥＤの数を操作ボタンの数よりも少なくでき、設置するＬＥＤの数を節約できる。
【発明を実施するための最良の形態】
【０００９】
以下、本発明の実施形態を図面にしたがって説明する。図１は、本発明の一実施形態に係るセンサコントローラを示す構成図である。本センサコントローラは、例えば光学的に対象物までの距離や反射率を測定する光学式変位センサのコントローラであり、対象物までの距離や反射率を測定する図示しないセンサヘッドに接続されて、当該センサヘッドを制御する。
【００１０】
本センサコントローラは、操作パネル１２上に種々の操作を行う複数の操作ボタン４が設けられた操作部１と、測定値やセンサ機能情報を表示するモニタ２と、コントローラ内に内蔵されてセンサ全体を制御する制御部（マイクロコンピュータ）３とを備えている。
【００１１】
操作部１の操作パネル１２上に設けられた複数の例えば押ボタンのような操作ボタン４のうち、操作ロックボタン５は、センサの誤動作を防止するためにその他の操作ボタンをロックまたはロック解除する。前記制御部３は、操作ロックボタン５がロック状態のとき全部の操作ボタン４を消灯させ、ロック解除状態のとき全部の操作ボタン４を点灯させる制御を行う。操作ロックボタン５により他の操作ボタンがロックされたとき、全部の操作ボタン４を消灯状態にして、他の操作ボタンが操作不能状態であることが認識される。操作ロックボタン５によりロック解除されると、他の操作ボタンが操作可能状態となる。
【００１２】
複数の操作ボタン４のうち、例えば上下左右移動ボタン（十字キー）６はモニタ２に表示された設定項目の移動や変更の操作を行う。モード切り替え（ＳＥＴ／ＲＵＮ）ボタン７は、測定モード（ＲＵＮ）と、測定した値の平均回数の設定やフィルタ設定などの機能設定モード（ＳＥＴ）とに切り替える。バンク切り替え（ＢＡＮＫ）ボタン８は測定対象物の種類や測定条件に応じたバンクＮｏ．に切り替える。そのほかに位取りボタン９やゼロリセットボタン１０が設けられている。モニタ２は、センサヘッドの測定値（Ａ、Ｂ）、演算結果（ＣＡＬ）、バンク（ＢＮＫ）Ｎｏ．などのほかに、センサ機能情報を表示する。
【００１３】
本発明に係る制御部３は、さらに、操作ロックボタン５がロックされて全部の操作ボタン４が消灯された状態のときに、当該操作ボタン４のうち少なくとも１つの操作ボタンが操作されると、全部の操作ボタン４または操作ロックボタン５のみがライトアップし、ロック解除する操作ロックボタン５の位置を明確にする制御を行うボタン点灯制御手段２０を備えている。
【００１４】
また、複数の操作ボタン４が複数に区画され、各区画ごとに該区画内の操作ボタンを点灯させるＬＥＤ（チップＬＥＤ）１４が設けられている。すなわち、図２に示すように、操作部１は、操作パネル１２上に配置された各操作ボタン４と、その下方に配置された各チップＬＥＤ１４とを有し、例えば十字キー６の下方（区画（ａ））にチップＬＥＤ１５、モード切り替えボタン７の下方（区画（ｂ））にチップＬＥＤ１６、バンク切り替えボタン８および位取りボタン９の下方（区画（ｃ））にチップＬＥＤ１７、操作ロックボタン５およびゼロリセットボタン１０の下方（区画（ｄ））にチップＬＥＤ１８が配置されている。
【００１５】
以下、上記構成を有するセンサコントローラのボタン点灯制御動作について説明する。まず、制御部３により操作ロックボタン５がロック状態のとき、全てのチップＬＥＤ１４の発光が停止されて全ての操作ボタン４が消灯されている。なお、モード切り替えや機能設定などのパネル操作時で操作ロックボタン５がロック解除状態のとき、全てのチップＬＥＤ１４が発光されて全ての操作ボタン４が点灯される。
【００１６】
そして、操作ロックボタン５がロックされて全部の操作ボタン４が消灯された状態のときに、作業者によりパネル操作を始めようとして、複数の操作ボタン４のうち少なくともいずれか１つの操作ボタンが触れられると、ボタン点灯制御手段２０によって、全てのチップＬＥＤ１４を発光させることにより全ての操作ボタン４を点灯させて、ライトアップし、操作ロックボタン５の位置を明確にして、ロック解除を確実にできるように制御される。なお、全ての操作ボタン４をライトアップする代わりに、操作ロックボタン５のみをライトアップするようにしてもよい。
【００１７】
これにより、本発明は、操作ロックボタン５がロックされて全部の操作ボタン４が消灯された状態のときに、少なくとも１つの操作ボタンが操作されると、全部の操作ボタン４または操作ロックボタン５のみをライトアップし、ロック解除する操作ロックボタン５の位置を明確にする。この操作ボタン４のライトアップ機能により、従来のように別の照明器具で操作パネル面を照らしたり、操作ボタン位置がわからないため誤操作していたのと異なり、操作パネル面周辺が暗くても、操作ロックボタン５の位置を視覚的に認識できるから、容易にロック解除でき、誤操作を防止できる。
【００１８】
また、複数の操作ボタン４が複数に区画され（（ａ）〜（ｄ））、各区画ごとに該区画内の操作ボタンを点灯させるチップＬＥＤが設けられているので、チップＬＥＤの数を操作ボタンの数よりも少なくでき、設置するチップＬＥＤの数を節約できる。
【００１９】
なお、この実施形態では、チップＬＥＤの数を操作ボタンの数よりも少なくしているが、操作ボタンごとにチップＬＥＤを設けて、両者を同数にしてもよい。
【図面の簡単な説明】
【００２０】
【図１】本発明の一実施形態に係るライトアップ機能を有するセンサコントローラを示す構成図である。
【図２】本発明にかかる操作部を示す構成図である。
【符号の説明】
【００２１】
１：操作部
２：モニタ
３：制御部（マイクロコンピュータ）
４：複数の操作ボタン
５：操作ロックボタン
１４：ＬＥＤ（チップＬＥＤ）
２０：ボタン点灯制御手段
【図１】
2006134860.tif 000003
【図２】
2006134860.tif 000004